(57)【特許請求の範囲】
【請求項１】
表面にトナー像が形成される感光体と、感光体表面上のトナー像を用紙に転写する転写手段とを有する画像形成装置であって、
前記転写手段に転写バイアスを印加する転写バイアス印加手段と、
前記転写手段の転写電流値を、転写条件に応じて設定する転写電流値設定手段と、
前記転写電流値設定手段により転写条件に応じて設定される各転写電流値に対応するそれぞれの転写バイアス印加開始タイミングであって、前記転写手段による前記転写電流値での転写が、用紙先端以降に続く用紙マージンの終わり部分で開始される転写バイアス印加開始タイミングを記憶した記憶手段と、
前記転写電流値設定手段が設定した転写電流値に対応する転写バイアス印加の開始タイミングを前記記憶手段から読み出し、前記転写バイアス印加手段による転写バイアス印加の開始タイミングを、当該読み出した開始タイミングとする印加開始タイミング調整手段とを備え、
前記転写バイアス印加手段は、前記転写電流値設定手段によって設定され得るいかなる転写電流値に対しても、前記マージンが前記転写領域を通過している間に、当該転写電流値まで立ち上がる性能を有する画像形成装置。
【請求項２】
用紙サイズ、紙厚、周囲温度、周囲湿度の少なくともいずれか１つの転写条件の変化に対応した転写電流値を記憶した転写電流値記憶手段を更に備え、
前記転写電流値設定手段は、前記転写条件の変化に基づいて、前記転写電流値記憶手段から対応する転写電流値を読み出し、当該読み出した転写電流値を設定する請求項１に記載の画像形成装置。
【請求項３】
前記転写電流値設定手段は、前記転写手段による転写が用紙の第１面目又は第２面目のいずれに行われるかに応じて、前記転写電流値を設定する請求項１又は請求項２に記載の画像形成装置。
【請求項４】
前記印加タイミング調整手段は、用紙を前記転写手段に搬送するレジストローラを駆動開始した時からの経過時間に基づいて、前記転写バイアス印加の開始タイミングを調整する請求項１乃至請求項３のいずれかに記載の画像形成装置。
【発明の詳細な説明】
【０００１】
【発明の属する技術分野】
本発明は、感光体表面上のトナー像を転写して記録紙に画像を形成する画像形成装置に関し、特に、感光体表面上のトナー像を用紙に転写する時の転写バイアスを制御する技術に関する。
【０００２】
【従来の技術】
一般に、感光体ドラム（感光体又は像担持体）上のトナー像を転写して記録紙に画像を形成する複写機，プリンタ等の画像形成装置には、感光体ドラム表面から用紙上にトナー像を転写するために転写装置が備えられている。この転写装置は、感光体ドラムに対向する位置に転写ローラを配置し、この転写ローラにトナーと逆極性のバイアス電圧を印加し、感光体ドラム及び転写ローラ間に搬送されてきた用紙に、感光体ドラム表面からトナー像を転写するものである。そして、このトナー像の転写を最適に行うために、用紙サイズ、用紙厚さ、周囲の温度や湿度等の転写条件に応じて転写電流値を変更し、バイアス電圧の印加は、用紙先端が転写装置の転写領域に差し掛かる前から行うようにしている。
【０００３】
【発明が解決しようとする課題】
しかしながら、上記の画像形成装置のように、用紙先端が転写装置の転写領域に差し掛かる前からバイアス電圧を印加すると、感光体ドラムに用紙が巻き付いてしまい、剥離爪によって感光体ドラムから用紙を剥がす時に、用紙を感光体ドラムから剥がし難くなる。
【０００４】
その一方、感光体ドラムからの用紙の分離性能を向上させるためにバイアス電圧印加の開始タイミングを制御しようとしても、転写手段が転写実行状態になるまでに要する時間は転写電流値の大小によって異なるため、上記のように転写条件に応じて転写電流値を変更する場合に、用紙上の転写開始位置をばらつかせずにバイアス電圧印加の開始タイミングを制御することは困難である。そのため、用紙種類や周囲環境等の影響により、用紙上で画像形成が開始される位置が変動してしまう場合がある。
【０００５】
本発明は、このような事情に鑑みてなされたものであり、感光体ドラムからの用紙の分離性能を向上させることができ、しかも、転写条件に応じて転写バイアスを変化させた場合でも、画像形成の開始位置を同じ位置に保つことができる画像形成装置を提供することを目的とする。
【０００６】
【課題を解決するための手段】
上記目的を達成するために請求項１に記載の発明は、表面にトナー像が形成される感光体と、感光体表面上のトナー像を用紙に転写する転写手段とを有する画像形成装置であって、
前記転写手段に転写バイアスを印加する転写バイアス印加手段と、
前記転写手段の転写電流値を、転写条件に応じて設定する転写電流値設定手段と、
前記転写電流値設定手段により転写条件に応じて設定される各転写電流値に対応するそれぞれの転写バイアス印加開始タイミングであって、前記転写手段による前記転写電流値での転写が、用紙先端以降に続く用紙マージンの終わり部分で開始される転写バイアス印加開始タイミングを記憶した記憶手段と、
前記転写電流値設定手段が設定した転写電流値に対応する転写バイアス印加の開始タイミングを前記記憶手段から読み出し、前記転写バイアス印加手段による転写バイアス印加の開始タイミングを、当該読み出した開始タイミングとする印加開始タイミング調整手段とを備え、
前記転写バイアス印加手段は、前記転写電流値設定手段によって設定され得るいかなる転写電流値に対しても、前記マージンが前記転写領域を通過している間に、当該転写電流値まで立ち上がる性能を有するものである。
【０００７】
この構成によれば、用紙のマージンの終わり部分で上記設定された転写電流値での転写が開始されるように、印加タイミング調整手段が転写バイアス印加の開始タイミングを調整するので、転写実行状態になるまでに必要な時間が転写電流値の変化によって異なる場合であっても、用紙上の転写開始位置がばらつくことがない。そのため、転写条件が変化した場合であっても、用紙上で画像形成が開始される位置を統一することができる。また、用紙先端が前記転写領域を抜けた後に転写バイアスの印加を開始することになるので、用紙先端には転写バイアスが印加されず、用紙先端は転写手段に巻き付かない。よって、例えば、感光体ドラムから剥離爪等によって用紙を剥がす場合に、転写手段から用紙を分離しやすくなる。
【０００８】
さらには、印加タイミング調整手段が、転写電流値設定手段の設定した転写電流値に対応するバイアス印加の開始タイミングを記憶手段から読み出すので、転写時のバイアス印加の開始タイミングを簡単に調整することができる。
【０００９】
また、請求項２に記載の発明は、請求項１に記載の画像形成装置であって、用紙サイズ、紙厚、周囲温度、周囲湿度の少なくともいずれか１つの転写条件の変化に対応した転写電流値を記憶した転写電流値記憶手段を更に備え、
前記転写電流値設定手段は、前記転写条件の変化に基づいて、前記転写電流値記憶手段から対応する転写電流値を読み出し、当該読み出した転写電流値を設定するものである。
【００１０】
この構成によれば、転写電流値設定手段が、用紙サイズ、紙厚、周囲温度、又は周囲湿度に応じて転写電流値を変更した場合であっても、用紙サイズ、紙厚、周囲温度、又は周囲湿度の変化に拘わらず、転写手段からの用紙分離性能を高め、用紙上における画像形成の開始位置を同一に保つことが可能になる。
【００１１】
また、請求項３に記載の発明は、請求項１又は請求項２に記載の画像形成装置であって、前記転写電流値設定手段は、前記転写手段による転写が用紙の第１面目又は第２面目のいずれに行われるかに応じて、前記転写電流値を設定するものである。
【００１２】
この構成によれば、転写電流値設定手段が用紙の第１面目又は第２面目で転写電流値を変更する場合であっても、用紙の第１面目又は第２面目の両面において同じ位置から画像形成を開始することが可能になる。
【００１３】
また、請求項４に記載の発明は、請求項１乃至請求項３のいずれかに記載の画像形成装置であって、前記印加タイミング調整手段は、用紙を前記転写手段に搬送するレジストローラを駆動開始した時からの経過時間に基づいて、前記転写バイアス印加の開始タイミングを調整するものである。
【００１４】
この構成によれば、印加タイミング調整手段が、レジストローラの駆動開始時からの経過時間に基づいてバイアス印加タイミングを調整するので、転写バイアス印加のタイミング調整を簡単に行うことができる。
【００１５】
【発明の実施の形態】
以下、本発明の一実施形態に係る画像形成装置について図面を参照して説明する。図１は本発明に係る画像形成装置の概略構成を示す模式図である。図１に示すように、本発明に係る画像形成装置の一例である複写機１では、複写機本体２内において、帯電装置３により図中のＡ方向に回転する感光体ドラム（感光体又は像担持体）４が一様に帯電され、原稿読取装置５で読み取られた原稿画像に基づく露光装置（レーザ走査ユニット等）６からのレーザビームにより感光体ドラム４上に静電潜像が形成され、現像装置（現像手段）７により静電潜像に現像剤（以下、トナーという）が付着されてトナー像が形成される。この現像装置７へのトナーの供給は、トナーコンテナ８から行われる。
【００１６】
上記のようにトナー像が形成された感光体ドラム４に向けて、給紙機構９から用紙が用紙搬送路１０を経由して搬送され、転写ローラ１１により感光体ドラム４表面のトナー像が用紙に転写される。そして、トナー像が転写された用紙は感光体ドラム４から分離され、定着ローラ対を有する定着装置１２に搬送されてトナー像が定着される。定着装置１２を通過した用紙は、複数方向に分岐した用紙搬送路１３に送られて、用紙搬送路１３の分岐点で分岐部材によって搬送方向が振り分けられ、そのまま（或いは、用紙搬送路１７に送られて両面コピーされた後に）、上シートトレイ１０２ａ、下シートトレイ１０２ｂ又はシートトレイ１０３の用紙排出部から排出される。
【００１７】
上記転写ローラ１１は、図外の転写バイアス部がトナーと逆極性の転写バイアスを用紙に印加することによって、感光体ドラム４及び転写ローラ１１間に搬送されてきた用紙に、感光体ドラム４表面からトナー像を転写させるようになっている。本発明は、この転写ローラ１１に転写バイアスを印加開始するタイミングの制御に関するものである。
【００１８】
なお、１６はクリーニング部であり、感光体ドラム４上の残留トナー等を除去するものである。また、給紙機構９は、複写機本体２に着脱自在に取り付けられ、用紙を収納する給紙カセット９１，９２と、その上方に設けられるスタックバイパス（バイパストレイ）９３とを備えてなり、これらは用紙搬送路１０によって感光体ドラム４及び現像装置７等からなる画像形成部に繋がっている。
【００１９】
図２は上記複写機１の概略構成を示すブロック図である。複写機１には、複写機１全体の制御を司る制御装置２０が備えられている。制御装置２０は、帯電装置３、露光装置６、及び現像装置７からなる画像形成部と、定着装置１２と、転写ローラ（転写手段）１１及び転写バイアス部（転写バイアス印加手段）等からなる転写装置１５とを制御する。この転写バイアス部は、制御装置２０によって転写条件に応じて転写電流値が設定された場合に、設定された如何なる転写電流値に対しても、用紙マージン部分が転写装置１５による転写領域を通過している間に、当該転写電流値まで立ち上がる性能を有する。すなわち、用紙先端が上記転写領域を抜けた後から転写バイアス印加を開始しても、用紙マージン部分が転写領域を抜けるまでに、転写ローラ１１を転写可能状態にすることができるようになっている。
【００２０】
また、制御装置２０には、感光体ドラム４を駆動するドラムモータ２１と、用紙の種類や周囲環境等の転写条件に応じて変更される複数の転写電流値、及び当該複数の転写電流値の各々に対応する転写バイアス印加の開始タイミング、の両方が記憶されている記憶装置（記憶手段）２２と、転写装置１５の周囲温度及び湿度を計測する温湿度センサ２３と、感光体ドラム４及び転写ローラ１１のニップ部に用紙を搬送するレジストローラの駆動源であるローラ駆動モータ２４と、このローラ駆動モータ２４からレジストローラへの駆動力伝達を切り換えるレジストクラッチ２５と、レジストクラッチ２５の切り換えによりレジストローラが駆動開始された時点からの経過時間を計測するタイマ２６とが接続されている。
【００２１】
さらに、制御装置２０には、ユーザから印刷に使用する用紙サイズ等の印刷指示情報が入力される操作部２７と、複写機１の電源ＯＮ・ＯＦＦを切り換えるメインスイッチ２８とが接続されている。
【００２２】
次に、印刷に使用する用紙の種類及び周囲環境に応じた転写電流値の制御について説明する。図３は絶対湿度に応じて変更される転写電流値を示すデータテーブルの一例であり、（ａ）は国内用の用紙に適用するデータテーブル、（ｂ）は外国用の用紙に適用するデータテーブルである。図３（ａ）（ｂ）においては、周囲環境として、周囲の温度及び相対湿度に基づいて算出した絶対湿度×10（g/m3）を用いている。
【００２３】
本複写機１では、周囲環境に合わせて用紙へのトナー像の転写を好適に行うために、周囲温度及び湿度に応じて転写装置１５の転写電流値を設定する。この転写電流値の設定は、温湿度センサ２３によって計測される温度及び湿度の情報、及び操作部２７から入力される用紙に関する情報（又は図外のセンサが検出する用紙サイズ情報）に基づいて、これらの情報に対応する転写電流値を制御装置２０が記憶装置２２内のデータテーブルから抽出することによって行われる。よって、制御装置２０は、特許請求の範囲に記載した転写電流値設定手段として機能する。
【００２４】
例えば、国内用の用紙（薄紙64g紙）の表面印刷では、HUMID105（絶対湿度約10.5 g/m3）の場合、Ａ３,Ａ４縦,Ｂ４,Ｂ５サイズの用紙には転写電流値約102μA、Ａ４横サイズの用紙には転写電流値約101μA、Ａ５横サイズの用紙には転写電流値180μAが用いられる。裏面印刷では、Ａ３,Ａ４縦,Ｂ４,Ｂ５サイズの用紙には転写電流値約100μA、Ａ４横サイズの用紙には転写電流値約101μA、Ａ５横サイズの用紙には転写電流値約141μAが用いられる。これらHUMID，転写電流値のデータ及びその対応はデータテーブルとして記憶装置２２に格納されており、制御装置２０が必要に応じて、HUMIDに対応する転写電流値を読み出すようになっている。
【００２５】
また、外国用の用紙（厚紙80g紙）の表面印刷では、HUMID105（絶対湿度約10.5 g/m3）の場合であっても、Ａ３,Ａ４縦,Ｂ４,Ｂ５サイズの用紙には転写電流値約221μA、Ａ４横サイズの用紙には転写電流値約224μA、Ａ５横サイズの用紙には転写電流値約262μAが用いられる。裏面印刷では、Ａ３,Ａ４縦,Ｂ４,Ｂ５サイズの用紙には転写電流値約102μA、Ａ４横サイズの用紙には転写電流値約163μA、Ａ５横サイズの用紙には転写電流値約203μAが用いられる。かかるデータは、外国用に出荷される複写機の記憶装置２２に格納される。
【００２６】
このように、周囲温度及び湿度、用紙種類（用紙サイズ及び紙厚等）に応じて転写電流値を設定することによって、周囲環境に応じた好適な転写が可能になる。
【００２７】
次に、用紙種類及び周囲環境等に合わせて設定された転写電流値に応じた、転写バイアス印加の開始タイミングの調整について説明する。図４は転写電流値に応じて変更される転写バイアス印加の開始タイミングを示すデータテーブルの一例（用紙搬送速度が約178mm/secの場合）であり、（ａ）は用紙第１面目印刷、（ｂ）は用紙第２面目印刷についてのデータテーブルである。
【００２８】
トナー像を感光体ドラム４から用紙に転写する場合、使用する転写電流値の大小に応じて、転写ローラ１１が転写可能状態に達するまでに要する時間（転写バイアス部が転写バイアス印加を開始してから、制御装置２０が上記転写条件に応じて設定した転写電流値まで立ち上がる時間）が変動する。そのため、転写時に用いられる転写電流値に応じて、転写バイアス印加の開始タイミングを前後させることによって、転写が開始される位置（すなわち、画像形成の開始位置）を同一にする制御を行う。これにより、用紙種類や周囲環境等の転写条件の変化に拘わらず、用紙上で転写が始まる位置を常に同じ位置に保つようにする。具体的には、制御装置２０は、転写条件に応じて設定した転写電流値に基づいて、記憶装置２２内のデータテーブル（図４）から、対応するバイアス印加の開始タイミングを読み出し、これに基づいて転写バイアスの印加を開始するように制御する。制御装置２０は、特許請求の範囲に記載した印加開始タイミング調整手段として機能する。
【００２９】
本発明では、転写バイアス印加を開始するタイミングは、用紙のマージン（余白）の終わり部分で転写ローラ１１が転写を開始するように設定する。上記のように、転写装置１５の転写バイアス部は、用紙先端が転写ローラ１１の転写領域を抜けた後に転写バイアスを印加しても、用紙のマージンが転写領域を抜けるまでに転写ローラ１１に転写可能状態とする性能を有している。よって、用紙のマージンの終わり部分において転写ローラ１１が転写を開始するタイミングで転写バイアスを印加することによって、用紙先端部分には転写バイアスが印加されないことになる。これにより、用紙先端の感光体ドラム４への巻き付きが防止される。
【００３０】
例えば、図４（ａ）に示すように、感光体ドラム４及び転写ローラ１１への用紙搬送速度が約178mm/secであって、用紙第１面目への印刷である場合、使用する転写電流値が約200μＡのときは、レジストクラッチ２５がＯＮとされ、ローラ駆動モータ２４の駆動力がレジストローラに伝達されてレジストローラが駆動開始された時点から、転写バイアスの印加を開始するまでの時間を約250msecに設定する。使用する転写電流値が約100μＡのときは、レジストローラが駆動された時点から約233msec経過してから転写バイアスの印加を開始するようにする。同様に、用紙第２面目（例えば、両面印刷時の裏面等）の印刷の場合は、用紙第２面目用のデータテーブルから転写バイアス印加の開始タイミングを読み出して設定する。このように転写バイアス印加の開始タイミングを制御することにより、転写電流値が変動しても、用紙上において転写が開始される位置を常に同一に保つようにする。
【００３１】
転写装置１５による転写バイアス印加の開始タイミングの制御について説明する。図５は当該タイミング制御の処理を示すフローチャートである。制御装置２０は、温湿度センサ２３から周囲温度及び湿度情報を取得し（Ｓ１，Ｓ２）、これらに基づいてHUMIDの値を算出する。次に、操作部２７（又は紙サイズ検知センサ等）から紙サイズ情報を取得する（Ｓ３）。更に、今回の転写が用紙第１面目の印刷であるか、用紙第２面目の印刷であるかの情報を取得する（Ｓ４）。そして、Ｓ１乃至Ｓ４で取得した情報に対応する転写電流値を、記憶装置２２に記憶されているデータテーブル（図３）から読み出して、転写時の転写電流値を設定する（Ｓ５）。続いて、当該設定した転写電流値に対応するバイアス印加の開始タイミング（レジストクラッチ２５をＯＮにした時点からバイアス印加を開始するまでの待ち時間）を、記憶装置２２に記憶されているデータテーブル（図４）から読み出して設定する（Ｓ６）。そして、レジストクラッチ２５がＯＮとされてレジストローラが駆動されると（Ｓ７でＹＥＳ）、レジストクラッチ２５をＯＮとしてからの経過時間をタイマ２６によって計測し、タイマ２６がＳ６で設定した時間を計測した時に（Ｓ８でＹＥＳ）、バイアス電圧の印加を開始する（Ｓ９）。
【００３２】
上記制御は１枚の用紙を印刷する度に行われるが、操作部２７から印刷指示があったジョブ毎に上記制御を行うようにしたり、一定枚数を印刷した後に上記制御を行うようにしてもよい。
【００３３】
このように、本実施形態の複写機１によれば、転写ローラ１１による転写が用紙マージンの終わり部分で開始されるように、記憶装置２２内のデータテーブル（図４）に記憶されているバイアス印加の開始タイミングに基づいて、転写電流値に応じた転写バイアス印加の開始タイミングが調整されるので、転写電流値の変化によって転写可能状態になるまでに必要な時間が変動する場合であっても、トランスの負荷変動に基づく立ち上がり特性変化を吸収して、用紙上における転写開始位置が常に同一に保たれる。
【００３４】
また、転写バイアス部は、用紙先端が転写領域を抜けた後から転写バイアス印加を開始しても、用紙マージン部分が転写領域を抜けるまでに、転写ローラ１１を転写可能状態にすることができる性能を有しているので、用紙先端部分には転写バイアスが印加されず、用紙先端は感光体ドラム４に巻き付かない。これにより、感光体ドラム４から剥離爪等によって用紙を剥がす場合に、感光体ドラム４から用紙を分離しやすくなる。
【００３５】
また、転写時の転写電流値に対応するバイアス印加の開始タイミングを記憶装置２２から読み出すようにしていることから、制御装置２０は、用紙上における転写開始位置を同一に保つためのバイアス印加の開始タイミング調整が簡単になる。
【００３６】
また、制御装置２０は、レジストローラの駆動開始時からの経過時間をタイマ２６によって計測し、この経過時間に基づいてバイアス印加の開始タイミングの調整を行うので、バイアス印加の開始タイミング調整が更に簡単になる。
【００３７】
なお、本発明は上記実施の形態の構成に限られず種々の変形が可能である。例えば、上記実施の形態では、用紙サイズ、紙厚、周囲温度、周囲湿度の全てに基づいて転写電流値を設定するが、これら各要素の少なくともいずれか１つに基づいて転写電流値を設定するものであればよい。
【００３８】
また、上記実施形態では、転写バイアス印加の開始タイミングの調整を、レジストローラの駆動開始時からの経過時間をタイマ２６で計測することで行っているが、この調整方法に限定されることはなく、他の調整方法によってもよい。
【００３９】
【発明の効果】
以上のように本発明によれば、用紙のマージンの終わり部分で転写が開始されるように、印加タイミング調整手段が転写バイアス印加の開始タイミングを調整するので、転写実行状態になるまでに必要な時間が転写電流値の変化によって異なる場合であっても、用紙上の転写開始位置がばらつくことがない。そのため、転写条件が変化した場合であっても、用紙上で画像形成が開始される位置を統一することができる。さらに、用紙先端が前記転写領域を抜けた後に転写バイアスの印加を開始することになるので、用紙先端には転写バイアスが印加されず、用紙先端は転写手段に巻き付かない。よって、例えば、感光体ドラムから剥離爪等によって用紙を剥がす場合に、転写手段から用紙を分離しやすくなる。
【００４０】
また、印加タイミング調整手段が、転写電流値設定手段の設定した転写電流値に対応するバイアス印加の開始タイミングを記憶手段から読み出すので、転写時のバイアス印加の開始タイミングを簡単に調整することができる。
【００４１】
また、転写電流値設定手段が、用紙サイズ、紙厚、周囲温度、又は周囲湿度に応じて転写電流値を変更するようにすれば、用紙サイズ、紙厚、周囲温度、又は周囲湿度の変化に拘わらず、転写手段からの用紙分離性能を高め、用紙上における画像形成の開始位置を同一に保つことが可能になる。
【００４２】
また、転写電流値設定手段が用紙の第１面目又は第２面目で転写電流値を変更する場合には、用紙の第１面目又は第２面目の両面において同じ位置から画像形成を開始することが可能になる。
【００４３】
また、印加タイミング調整手段が、レジストローラの駆動開始時からの経過時間に基づいてバイアス印加タイミングを調整するようにすれば、転写バイアス印加のタイミング調整を簡単に行うことができる。
【図面の簡単な説明】
【図１】  本発明に係る画像形成装置の一例である複写機の概略構成を示す模式図である。
【図２】  上記複写機の概略構成を示すブロック図である。
【図３】  絶対湿度に応じて変更される転写電流値を示すデータテーブルの一例であり、（ａ）は国内用の用紙に適用するデータテーブル、（ｂ）は外国用の用紙に適用するデータテーブルである。
【図４】  転写電流値に応じて変更される転写バイアス印加の開始タイミングを示すデータテーブルの一例であり、（ａ）は用紙第１面目印刷、（ｂ）は用紙第２面目印刷についてのデータテーブルである。
【図５】  転写装置によるバイアス印加の開始タイミング制御のフローチャートである。
【符号の説明】
１    複写機（画像形成装置）
４    感光体ドラム（感光体）
１１  転写ローラ（転写手段）
１５  転写装置（転写手段）
２０  制御装置（転写電流値設定手段，印加開始タイミング調整手段）
２２  記憶装置（記憶手段）
２３  温湿度センサ
２４  ローラ駆動モータ
２５  レジストクラッチ
２６  タイマ
【図１】
0004171205.tif 000002
【図２】
0004171205.tif 000003
【図３】
0004171205.tif 000004
【図４】
0004171205.tif 000005
【図５】
0004171205.tif 000006